(57)【要約】すぐれた歩行快適性を与える靴、例えばハイキングシューズ用の靴用中底（１）を提供する。靴用の中底（１）は、そのかかとゾーン（４）内に衝撃吸収体（６）を備え、かかとゾーン（４）の後ろに且つ隣接するビード（８）を備え、前記ビードは完全または部分的にＵ字形に従い、着用者のかかとのための側部支持体を形成する。この中底は少なくとも２本の僅かに湾曲した曲げライン（１２、１４）の周りで可とう性であって、これらのラインは中底の縦軸（１０）に対して傾斜しており、前記ラインは中底材内における複数のチャネルまたは溝（１２、１４）によって画定されている。曲げラインは互いに交差せず、曲げラインの空洞は互いに対向している。中底（１）は、手のような形状の特に弾性を有する部分（１６）を備え、この部分（１６）は中底のつま先端部（３０）において尖っている少なくとも２つの指形のゾーン（１８ａ、１８ｂ、１８ｃ）を有する。この結果、靴用の中底は着用者の歩行動作中に高度の可とう性を提供することになる。本発明の中底は、周知の中底よりもさらに容易に動作中の着用者の足部構造組織に順応するので、靴の一部を形成する中底を有する靴が特に歩行用に快適である。
2004504914.tif 000002
【特許請求の範囲】
【請求項１】
すぐれた歩行快適性を与える靴、例えばハイキング・シューズ用の靴用中底（１）であって、かかとゾーン（４）内に衝撃吸収体（６）、及び、かかとゾーン（４）の後ろにかかとゾーンに隣接する少なくとも１つのビードを備え、前記ビードは完全にまたは部分的にＵ字形に従い、かつ着用者のかかとのための側部支持体を形成する靴用中底において、
中底の縦軸（１０）に対して傾斜した少なくとも２本の僅かに湾曲した曲げライン（１２、１４）の周りで可とう性であり、前記ラインは中底材内の複数のチャネルまたは溝（１２、１４）によって画定され、かつ互いに交差せず、前記曲げラインの空洞は互いに対向しており、前記靴用中底（１）は、中底のつま先端部（３０）のほうを向いている少なくとも２つの指形のゾーン（１８ａ、１８ｂ、１８ｃ）を有する手のような形状の特に弾性を有する部分（１６）を備えることを特徴とする、靴用中底（１）。
【請求項２】
曲げライン（１２、１４）の各々が、変化する曲率半径（Ｒ１）、（Ｒ２）を有し、好ましくは曲率半径が曲げラインの中央において最も長くて曲げラインの端部において最も短く、且つ、各曲げラインの前端部が側部に向かって「上向きに」傾斜し、前記側部に中底の母指ゾーン（１３）が位置することを特徴とする、請求項１に記載の靴用中底。
【請求項３】
弾性部分（１６）が中底の上面の一部を形成し、弾性部分が好ましくは比較的硬いエチレン酢酸ビニル（ＥＶＡ）で作られており、中底の残りの部分が比較的柔らかいＥＶＡで作られていることを特徴とする、請求項１または２に記載の靴用中底。
【請求項４】
弾性部分（１６）が中底（１）の下面の一部であることを特徴とする、請求項１または２に記載の靴用中底。
【請求項５】
下面の上であって弾性部分（１６）内に波形状の突出部（２０、２１、２２、２３、２５）を有する少なくとも１つの区域（７、１８ａ、１８ｂ、１８ｃ）を備えていることを特徴とする、請求項１から４までのいずれか一項または複数の項に記載の靴用中底。
【請求項６】
各区域（２０、２１、２２、２３）における波形がほぼ平行であることを特徴とする、請求項１から５までのいずれか一項または複数の項に記載の靴用中底。
【請求項７】
中底のかかとゾーン（４）が、中底の縦軸（１０）にほぼ直角な多くの、好ましくは少なくとも３つの、平行な波形（２５）を含む区域（２０）を備えていることを特徴とする、請求項１から６までのいずれか一項または複数の項に記載の靴用中底。
【請求項８】
湾曲ラインに随意にほぼ従う実質的に平行な波形（２５）のシステムが、指形のゾーン（１８ａ、１８ｂ、１ｃ）内部の区域（２１、２２，２３）、および／または弾性部分（１６）における足のふくらみゾーンに対向する区域（２７）に設けられていることを特徴とする、請求項１から７までのいずれか一項または複数の項に記載の靴用中底。
【請求項９】
中底の縦軸（１０）によって、各指形ゾーン内の波形（２５）は中底の母指ゾーン（１３）に隣接する指部において約７０〜８０°の角度ｖ１を形成し、前記中底の小指ゾーン（２８）に隣接する指部において約４０〜６０°の角度ｖ２を形成することを特徴とする、請求項８に記載の靴用中底。
【請求項１０】
弾性を有する部分（１６）の一部（１６ａ）が、実質的にかかとゾーン（４）の中央から足のふくらみゾーン（２７）を越えた位置まで延びているが、中底のつま先ゾーンより前で終わっており、随意に、中底の甲において中底の横部分の１つまたは両方において上向きに延びていることを特徴とする、請求項１から９までのいずれか一項または複数の項に記載の靴用中底。
【請求項１１】
請求項１〜１０に記載の靴用中底、内底、内底の上に設けられたサンドウィッチ式の底革（３５）、および外底を含む靴底であって、好ましくは皮革またはプラスチックで作られる比較的滑らかな部分（３６）が、底革（３５）の母指ゾーン内に、及び足のふくらみゾーンの少なくとも１つの部分に設けられていることを特徴とする靴底。
【発明の詳細な説明】
【０００１】
【発明の属する技術分野】
本発明は、すぐれた歩行快適性を与える靴、例えばハイキング・シューズ用の靴用中底であって、そのかかとゾーン内に衝撃吸収体と、かかとゾーンの後ろにかかとゾーンに隣接する少なくとも１つのビードとを備え、前記ビードが完全または部分的にＵ字形に従い、着用者のかかとに対して側部支持体として作用する、靴用中底に関する。
【０００２】
【従来の技術】
衝撃吸収体を備えたかかと部分を有する靴底を製造することは周知である。この種の衝撃吸収体は多くの様々な方法で、例えばばねまたはエア・クッションによって提供することができる。このような靴底にほぼＵ字形の側部支持ビードを備え、この支持ビードを靴着用者のかかとの後ろに配置して、かかとに押し当てて支持することも知られている。しかしながらこの靴底は、靴着用者の歩行動作中に適切な可とう性をもたらさず、かつ歩行中に着用者の足の輪郭に適切に順応しないので、完全に満足できるものではない。したがって、この靴底では、歩行のため特にハイキングのために使用するのに快適な靴の製造はできない。
【０００３】
［図面の簡単な説明］
本発明の目的は、動作中に高度の可とう性を提供するとともに、周知の靴底よりもさらに容易に動作サイクルにおいて着用者の足の構造組織に順応して、靴の一部を形成する中底を有する靴が特に歩行用に快適である、上記の形式の靴用中底を提供することである。
【０００４】
本発明による靴用中底は、少なくとも２本の僅かに湾曲した曲げラインの周りに可とう性であって、これらのラインは中底の縦軸に対して傾斜しており、前記ラインは中底材の複数のチャネルまたは溝によって画定され、互いに交差せず、曲げラインの空洞は互いに対向していること、および、手のような形状を有する特に弾性部分が中底のつま先端部において尖っている少なくとも２つの指形のゾーンを有する靴用中底の一部分を形成することを特徴とする。この結果、（内底、中底、および外底から成る）完全な靴底は、靴底が適切に着用者の足に順応し、中底が湾曲した曲げラインにおいて屈曲して更にかかとにおける衝撃を吸収し、着用者のかかとに側部支持をもたらすという感触を、動作中の着用者にもたらすので、特に快適な完成された靴を得ることができる。これに加えて、指形のゾーンは着用者の足の骨の下で別々に屈曲することができ、着用者のつま先と足の付随する骨は互いに僅かに異なって動くことができなければならない。指形のゾーンが着用者の足の骨に依存して動けることが重要であるのは、そうでなければ足の骨を有する前記つま先が熱を発生する著しい摩擦力を受けることになるからである。
【０００５】
本発明によれば、曲げラインの各々が変化する曲率半径を有し、曲率半径は好ましくは曲げラインの中央において最も長く曲げラインの端部において最も短く、各曲げラインの前端部は側部に向かって「上向きに」傾斜してもよく、前記側部に中底の母指が位置する。したがって、靴の一部を形成する完成された靴底を有する靴は特に快適である。
【０００６】
更にまた本発明によれば、弾性部分が中底の上面の一部を形成することができ、これは好ましくは比較的硬いエチレン酢酸ビニル（ＥＶＡ）で作られ、中底の残りの部分は比較的柔らかいＥＶＡで作られる。こうして、完成した靴底の着用者は、弾性部分が動作中に足の構造組織に「順応し」、前記部分と前記組織との間に生じる摩擦が少ないことを感じることになる。したがって、靴は不愉快な暑さを感じることはなく、歩行が快適になる。
【０００７】
本発明によれば、弾性部分が中底の一部を形成することができ、これによって完成された靴底が使用上特に快適なものになる。例えば人が傾斜面を昇るとき、この人は母指に相当する足の部分により高い圧縮力をかける。しかしながら、その弾性によって、前記弾性部分は、一歩を出すときに足に「突き出し」効果を誘導する。着用者が例えば傾斜面を降りるとき、この人は靴底の小指先端側により高い圧縮力をかける（スキーヤーがスキーの先端を互いに寄せて（雪をかきわけることによって）スキーを停止させようとする方法と同様に）。指形のゾーンは着用者に、傾斜面を降りるときに一歩の最後の部分において余分な押しをもたらす。
【０００８】
本発明によれば、中底は、下面上であって弾性部分内に、波形状の突出部を有する少なくとも１つの区域を備えることもできる。この結果、完成された靴底は、縦方向に特に高い可とう性を、また横方向に安定性を有する。
【０００９】
さらにまた本発明によれば、波形を各区域においてほぼ平行にすることができ、これによって可とう性も増す。
本発明によれば、中底のかかとゾーンに隣接して、中底の縦軸にほぼ直角な多くの、好ましくは少なくとも３つの平行な波形を含む区域を設けることができる。この実施形態は特に有利であることがわかっている。
【００１０】
本発明によれば、湾曲ラインに随意にほぼ従う実質的に平行な波形のシステムを、指形のゾーン内部の区域、および／または弾性部分における足のふくらみ区域の外側区域に設けることができる。中底のこの実施形態も、完成された靴底に高い可とう性をもたらすことが証明されている。
【００１１】
さらにまた本発明によれば、中底の縦軸に対して、各指形ゾーン内の波形は中底の母指ゾーンに隣接する指において約７０〜８０°の角度ｖ１を形成し、前記中底の小指ゾーンに隣接する指において約４０〜６０°の角度ｖ２を形成することができる。これにより、中底と、したがって完成された靴底は、特に足にやさしい可とう性を有するようになる。
【００１２】
本発明によれば、特に弾性のある部分の一部が、実質的にかかとゾーンの中央から足のふくらみゾーンを越えた位置まで延びているが、中底のつま先ゾーンより前で終わっており、随意に、中底の甲において中底の横部分の１つまたは両方において上向きに延びている。この結果、足の安定性を向上することができる。
【００１３】
本発明はさらに、請求項１〜１０に記載の靴用中底、上部内底、内底の上に設けられたサンドウィッチ式の底革、および中底の下方に設けられた靴の外底を含む靴底に関するものである。この靴底は、皮革またはプラスチックで作られることが好ましい比較的滑らかな部分が、底革の母指ゾーン内、及び足のふくらみゾーンの少なくとも１つの部分に設けられ、これによって完成された靴底が歩行中に着用者に特に高い快適さをもたらすことを特徴とする。
【００１４】
以下に本発明を、添付の図面を参照して詳細に説明する。
【００１５】
【本発明を実施するための最良の形態】
図１に示す靴用中底は、歩行においてすぐれた快適さをもたらす例えばハイキングシューズを製造するために適しており、全体として参照番号１で示されている。そのかかとゾーン４において、中底は、衝撃吸収体６と、かかとゾーンの後ろにかかとゾーンに隣接する少なくとも１つのビード８とを備えている。前記ビードは完全または部分的にＵ字形に従っており、靴着用者のかかとの側部支持体として作用する。ビードは単に点線によって示されている。衝撃吸収体は、空気式、または特に衝撃を吸収する中底材で作られることが好ましい。
【００１６】
靴用中底は、中底の縦軸１０に対して傾斜している２本の僅かに湾曲した曲げライン１２、１４の周りで可とう性であり、前記曲げラインは中底材内のチャネルまたは溝によって画定される。図３を参照されたい。曲げライン１２、１４は互いに交差せず、これらの空洞は互いに相反した向きになっている。曲げライン１２、１４の各々は変化する曲率半径を有することができ、曲率半径は通常、曲げラインの中央において最も短く、曲げラインの端部において最も長い。曲げラインの前端部１４ａ、１２ａは、側部に向かって「上向きに」傾斜することができ、図１に示すようにこの側部に中底の母指ゾーン１３が存在する。
【００１７】
中底は、中底のつま先端部３０に向かってとがっている少なくとも２つの指形のゾーンを有する手のような形の特に弾性のある部分１６（点線で示されている）を有する。この事例では、３つのこのような指形ゾーン１８ａ、１８ｂ、１８ｃが示されている。図１に示すように、中底材の残り部分の中に成形され又は挿入されている弾性部分１６は、中底の上面の一部を形成するが、残りの中底材によって完全に囲まれることができる。弾性部分１６は、比較的硬いエチレン酢酸ビニル（ＥＶＡ）で作られ、中底の残りの部分は比較的柔らかいＥＶＡで作られることが好ましい。
【００１８】
弾性部分１６はまた、図２に示すように中底の下面の一部になることもできる。
その下面上であって弾性部分１６内に、中底は、波形状の突出部２５を有する少なくとも１つの区域２０、２１、２２、２３を備えることができる。図４を参照されたい。点線２５は波形の「谷」を示す。図５はいくつかの波形２５を拡大して断面で表したものである。
【００１９】
図示するように、各区域において波形を実質的に互いに平行にすることもできる。
図４に示すように、多くの、好ましくは少なくとも３本の平行な波形を有する区域２０をかかとゾーン４内に備えることができ、前記波形は中底の縦軸１０にほぼ直角に延びている。図１を参照されたい。波形の「谷」はここでも２５で示されている。
【００２０】
指形ゾーン１８ａ、１８ｂ、１８ｃの区域２１、２２、２３において、および／または弾性部分における足のふくらみゾーンに対向する区域２７に、ほぼ平行な波形のシステム２５を設けることができ、随意に前記波形は実質的に例えばごく僅かな曲率の曲線に追従している。
【００２１】
図４に示すように、各指１８ａ、１８ｂ、１８ｃのゾーン内の波形２１、２２，２３は、中底の縦軸１０とある角度を形成し、前記角度ｖ１は、中底の母指ゾーン１５に隣接する指ゾーン１８ｃに関して約７０〜８０°であり、小指ゾーン２８に隣接する指ゾーン１８ａ内の波形の角度ｖ２は約４０〜６０°である。
【００２２】
中底における特に弾性のある部分１６が、実質的にかかとゾーンの中央から足２７のふくらみゾーンを越えた位置まで延びているが、中底１のつま先ゾーンより前で終わっている。
【００２３】
図６に示すように、特に弾性のある部分１６の一部１６ａが、中底の甲において中底の横部分の１つまたは両方において上向きに延びることができる。
完成された靴底は通常、本発明による中底１と、内底と、内底の上に設けられたサンドウィッチ式の底革と、中底１の下方に設けられた靴の外底とから構成されている。底革は図７では参照番号３５で示されている。底革は、母指ゾーンと足のふくらみゾーンの少なくとも１つの部分に、皮革またはプラスチックで作られることが好ましい比較的滑らかな部分３６を有することができる。本発明の中底に関連して、底革の本実施形態は歩行の快適さを更に向上させることが証明されている。
【００２４】
本発明を、添付の特許請求の範囲から明らかなように、本発明の範囲から逸脱することなく多くの方法で実現することができる。
【図面の簡単な説明】
【図１】
本発明による中底の一実施形態を示す上面図である。
【図２】
中底の第２実施形態の底面図である。
【図３】
図１の線ＩＩＩ−ＩＩＩに沿った、実施形態の断面図である。
【図４】
波形を備えた中底の一実施形態の底面図である。
【図５】
図４の線Ｖ−Ｖに沿った断面図である。
【図６】
特に弾性のある部分が中底の甲において上向きに傾斜している、中底の一実施形態の側面図である。
【図７】
本発明による中底の上に設けられた内底の上に配置された底革の上面図である。
【国際公開パンフレット】
2004504914.tif 000003
2004504914.tif 000004
2004504914.tif 000005
2004504914.tif 000006
2004504914.tif 000007
2004504914.tif 000008
2004504914.tif 000009
2004504914.tif 000010
2004504914.tif 000011
2004504914.tif 000012
2004504914.tif 000013
2004504914.tif 000014
2004504914.tif 000015
2004504914.tif 000016
2004504914.tif 000017
【国際調査報告】
2004504914.tif 000018
2004504914.tif 000019